(57)【特許請求の範囲】
【請求項１】
反射性スキャナ用アダプタであり、該反射性スキャナが内部光源と、透明なプラテンとを備えてなり、該透明なプラテンが反射性画像領域と、該反射性画像領域より小さく且つ該反射性画像領域内に含まれる透明性画像領域とを有しており、前記アダプタが、
前記反射性スキャナの透明なプラテン上に置かれた際に、前記透明なプラテンの反射性画像領域を通過するが透明性画像領域の外側を通過する前記内部光源からの光の一部を、方向変更して、前記透明なプラテンの透明性画像領域を通過して前記反射性スキャナ内に戻すための少なくとも２つの反射鏡を備えていることを特徴とするスキャナ用アダプタ。
【請求項２】
空間的に変化する光濃度を有する光フィルタであり、該光フィルタが該透明性画像領域を通って方向変更された光が、再度該光フィルタを通過するように配置されている光フィルタをさらに備えていることを特徴とする請求項１に記載のアダプタ。
【請求項３】
前記反射性画像領域が画像領域平面内にあり、該画像領域平面上に照射ラインがあり、前記スキャナは該照射ラインから距離Ｏの位置で該画像領域平面に交差する内部光路を有しており、前記アダプタがさらに、
該内部光源からの光を偏向して、該透明性画像領域を通り方向変更された光が該内部光路に沿うようにする手段を備えている、請求項１に記載のアダプタ。
【請求項４】
光を偏向する手段がさらに、
第１反射鏡平面内にある第１の反射鏡と、
第２反射鏡平面内にある第２の反射鏡と、
交差ラインに沿って交差する該第１と第２反射鏡平面と、
前記画像領域平面に平行でない該交差ラインと、
前記内部光源からの光が該第１方向に沿う方向性成分を有し、該内部光源からの該光が、該第１方向に沿って減少した方向性成分を有して該第１の反射鏡で反射し、その後該第１方向に沿ってさらに減少した方向性成分を有して該第２の反射鏡で反射し、その後該光源に対し該第１方向の実偏向距離Ｏを有して該画像領域を通過する、内部光源からの光と、
を含んでいる、請求項３に記載のアダプタ。
【請求項５】
前記画像平面に対し角度Ａを持つ該光路であって、該光が、該画像平面に対し角度Ａで該画像領域を通り方向変更される、請求項３に記載のアダプタ。
【請求項６】
透明性画像の走査に反射性スキャナを使用する方法であって、
該反射性スキャナが内部光源と、透明なプラテンとを備えてなり、該透明なプラテンが反射性画像領域と、該反射性画像領域より小さく且つ該反射性画像領域内に含まれる透明性画像領域とを有しており、
（Ａ）前記透明なプラテンの上の少なくとも２つの反射鏡が、前記透明なプラテンの反射性画像領域を通過するが、前記透明性画像領域の外側を通過する前記内部光源からの光の一部を受光するステップと、
（Ｂ）前記少なくとも２つの反射鏡により、この受光した光の方向を変更させて前記透明なプラテンの透明性画像領域を通過させて前記スキャナ内に戻すステップと、
を含む方法。
【請求項７】
前記反射性画像領域が画像領域平面内にあり、照射ラインが該画像領域平面内にあり、前記スキャナは該照射ラインから距離Ｏの位置で該画像領域平面に交差する内部光路を有しており、請求項６のステップ（Ｂ）がさらに、
（Ｂ１）該透明性画像領域を通過する該受光した光の方向を変更して、該内部光路に沿って該スキャナに戻すステップを含む、請求項６に記載の方法。
【請求項８】
前記スキャナがさらに該画像平面内に中心線を備え、該光源からの光が該中心線から発散するもので、請求項７のステップ（Ｂ１）がさらに、
（Ｂ１ａ）該受光した光を方向変更してレンズを通すステップと、
（Ｂ１ｂ）該光源からの発散光をレンズで収束して、該レンズを通る光が該中心線方向に収束するようにするステップと、
（Ｂ１ｃ）該透明性画像領域を通過するレンズからの光が、該内部光路に沿って該スキャナに導くステップと、
を含む、請求項７に記載の方法。
【発明の詳細な説明】
【０００１】
【産業上の利用分野】
この発明は、一般的には光学的スキャナに関するものであり、より詳細にはスライドやネガのような透明性のイメージをスキャンするためのスキャナ用アダプターに関するものである。
【０００２】
【従来の技術】
ドキュメント・スキャナというデバイスは、写真、スライドまたは用紙にプリントされたもののような可視的イメージを、コンピュータによるコピー処理、蓄積処理またはプロセス処理に適当な電子的な形式に変換するものである。反射性のドキュメント・スキャナには制御される光源が典型的に含まれており、ドキュメントの表面を反射されて感光性デバイスのアレイ上に至るようにされる。この感光性デバイスによれば、受け入れた光の強度が電子的信号に変換される。スライド・スキャナは、写真のポジ式スライドのイメージのような透明性のイメージに光を通し、感光性デバイスのアレイ上に至るようにする。
【０００３】
透明性のイメージは、スライドの背部に白色の表面を配することにより、反射性ドキュメント・スキャナににおいてスキャンすることができる。このような配列においては、光はスライドを通過して白色の背景に至り、白色の背景を反射して、感光性デバイスに衝突するのに先だって、スライドの２度目の通過をする。従って、光は透明性のイメージによって２度のフィルター処理を受けることになる。一般的には、このダブル・フィルタ処理により、グレイ・スケール、カラー、コントラスト、およびその他の関心があるイメージの特性について、受け入れることができない歪みが生じる。
【０００４】
【発明が解決しようとする課題】
反射性ドキュメント・スキャナは、光がスライドを１回しか通過しないように、イメージをバックライトする分離の光源を設けることにより、透明性のイメージをスキャンすることに適合されている。ある種のシステムにおいては、感光性デバイスに対してイメージを適正に投射するために、分離した光学的手段が必要とされる。イメージに関して外部の光源を移動させるためには、モータも必要とされる。反射性ドキュメント・スキャナにおいて透明性のイメージをスキャンするためのアダプタが必要であり、ここでのアダプタは完全に受動性のものであって、分離した光源はなく、移動部分もなくて、光はイメージを１回しか通過しない。
【０００５】
【課題を解決するための手段】
この発明によれば、反射性ドキュメント・スキャナにおいて透明性のイメージをスキャンするための完全に受動的なスキャナ用アダプタが提供される。反射性ドキュメント・スキャナにおける光源によれば、透明性のイメージのエリアの外側を通る光が与えられる。スキャナ用アダプタによれば、透明性のイメージのエリアの外側を通る光が捕獲され、この透明性のイメージのエリアを通る光が反射される。この反射された光は、反射性ドキュメント・スキャナの内部的な光学手段で要求された光学経路に沿って、この反射性ドキュメント・スキャナに再入射する。小さい透明性のイメージのための一つの実施例においては、要求された光学経路に沿った光の付与のために４個のミラーが使用される。大きい透明性のイメージのための一つの実施例においては、より広いエリアにわたって光を捕獲するためのレンズが追加される。
【０００６】
【実施例】
図１は、反射性ドキュメント・スキャナの側面図を例示するブロック図である。反射性ドキュメント・スキャナ１００には、透明プラテン１０４上に下向きにされた不透明ドキュメント１０２がある。光源としてのランプ１０６により、不透明ドキュメント１０２の面上に光のバンドが投射される。不透明ドキュメント１０２からは、比較的広い範囲の角度にわたって光が反射される。焦点レンズ１１６は不透明ドキュメント１０２の表面において焦点（正確には線状の焦点）を結んでおり、フォトセンサ・アレイ１２２に達する狭い光路を規定している。即ち、不透明ドキュメントの極めて限定された部分からの光だけ、および、イメージからの反射の極めて限定された角度からの光だけがフォトセンサ・アレイに達する。これに加えて、光路を更に限定するためにフィールド・ストップ１０８が用いられる。一般的に、焦点レンズ１１６の焦点距離はスキャナの内側よりも長く、フォトセンサ・アレイ１２２に達するのに先だって、反射された光がミラー１１０，１１２および１１４の屈曲した経路を通過するようにされる。図１に例示された構成においては、ミラー１１８および１２０が有するダイクロイック表面によりカラー分離がなされる。この図１に例示された構成においては、ランプ、ミラー、レンズおよびフォトセンサ・アレイは、一つの機械的なアセンブリに強固に取り付けられている。全体的なアセンブリは透明プラテン１０４に平行に移動して、フォトセンサ・アレイ１２２による検出のために、静止状態の不透明ドキュメント１０２に沿って光のバンドが移動するようにされる。別の構成においては、不透明ドキュメントが静止状態の光源を越えて移動することができる。フォトセンサ・アレイ１２２によれば、コピー処理のためのプリンタ（図示されない）またはコンピュータ１２４に対するイメージ・データのための電気的信号に、光から変換される。
【０００７】
図２に示されているものは、図１で例示された反射性ドキュメント・スキャナの端面図である。図２に示されているように、ランプ１０６は典型的には蛍光管のような長尺の円筒管であって、不透明ドキュメント１０２の端部を越えて伸張している。
【０００８】
図３の例示図は、図２において示されたような反射生ドキュメント・スキャナの端面図であるが、この図３においては、透明性のイメージ３００がドキュメントとして示されている。この発明の目標とするところは、透明性のイメージのエリアの外側にある内部的な反射性ドキュメント・スキャナのランプ１０６からの光を捕獲すること、および、点線３０２によって例示されているように、透明性のイメージの背部を通る光を反射することである。更に詳細に後述されるように、図３における点線３０２は光を向け直す概念を例示するものであるが、一般的には、より複雑なミラーの配列が必要とされる。図３において、イメージ・エリアの外側光は透明性のイメージの背部を通って指向される。これと逆のことを行うことが可能であることに注意されたい。即ち、図３で示されたものと逆の経路に従ってイメージの前部を光が通過することが可能であり、フォトセンサ・アレイ１２２に到達するようにされる。しかしながら、反射生ドキュメント・スキャナの内部的な光学手段に対する焦点は、不透明ドキュメントの表面にある。イメージの前部を通して光を指向する配列は、内部的な光学手段に関してイメージを移動させる（例えば、図１における焦点レンズ１１６）。従って、追加の外部的な光学手段が必要とされる。この発明におけるようなイメージの背部を通って光を指向することにより、反射生ドキュメント・スキャナの内部的な光学手段に対する適正な焦点におけるイメージが放置される。これに加えて、透明性のイメージが通過するのに先だって光を指向することにより、比較的低コストのミラーの使用が可能にされる。このミラーの表面は光学的に正確であることは必要とされない。
【０００９】
ガラス・カバーをしたフレーム状の写真が単一光源で照射されたときには、光の多くがイメージからではなくガラスから反射されるために、ある所定の観察角度では写真のイメージを認めることができない。しかしながら、下部にあるイメージからの反射光は放散し、広い範囲の角度にわたって観察することができる。直接的な反射がない角度においてイメージを単に観察するだけのことにより、鏡のような反射は避けることができる。同様にして、ある所定の角度の反射においては、光沢のある写真のように光沢のある表面を有するドキュメントは、ミラー様の態様で光を反射する。従って、反射性ドキュメント・スキャナにおいては、分散光は検出され、直接的な反射光は光学的経路から阻止されるように、光源および光学的経路の相対的な配列が設計される。反射生ドキュメントの面に対して衝突する光のバンドは焦点レンズの焦点に関しては広く、焦点レンズによって規定される光学的経路の角度においては、反射された十分な分散光がある。その結果として、典型的な反射性ドキュメント・スキャナにおいて、この反射性ドキュメントがミラーによって置換されるときには、光がフォトセンサ上に反射されることはない。光源は焦点レンズの焦点にはなく、ミラーからの反射は焦点レンズによって要求される正確な角度にはない。しかしながら、透明性のイメージに対しては、光の拡散は殆どない。反射性ドキュメント・スキャナの内部的な焦点レンズおよび光学的経路によって要求される角度に正確に、光は透明性のイメージを通過せねばならない。
【００１０】
ここで図１に戻って参照すると、光源、すなわち、ランプ１０６およびフィールド・ストップ１０８が透明プラテン１０４に垂直であり、ランプとフィールド・ストップとの間でオフセットがないときには、図３においてライン３０４および３０６によって例示されている２個の垂直ミラーの簡単な「テント」により所要の光路が付与される。例えば、ある種のファクシミリ・マシンおよびある種のハンドヘルド式のスキャナにおいては、フォトセンサはソーラ・セルのアレイであり、ここでのフォトセンサ・アレイは本質的にはイメージの全幅にわたってイメージに接触している。当該タイプのスキャナにおいては、内部的なスキャナ・レンズまたはミラーは必要ではなく、また、当該タイプのスキャナに対しては、図３に例示されている簡単な「テント」が、透明性のアダプタに要求されるものの全てである。従って、この発明の最も簡単な実施例は、図３においてライン３０４および３０６によって表される２個のミラーを含むものである。例えば、ある一つのスライドをガラス・シート上に配置し、２個のミラーの簡単なテントがこのスラドの上部にあると、ハンドヘルド式のスキャナがガラスの下部表面に沿って手動で移動される。しかしながら、一般的に、イメージの高い正確度（ピクセル当たり多くのビット）を要求するカラー・スキャナまたはグレイスケール・スキャナに対しては、フォトセンサ・アレイは典型的には電荷結合デバイス（ＣＣＤ）のアレイである。これらのスキャナで典型的に必要とされるものは内部的レンズ・システムおよび光源であり、光路は典型的にはオフセットおよび非垂直のものである。一般的には、図４，図５，図６および図７に関して後述されるように、より複雑なミラーの配列が必要とされる。
【００１１】
図１に例示されている内部的な光路は、反射性ドキュメント・スキャナに対する光学的配列の唯一の例である。一般的に、スキャナにおいて光の屈折処理、フィルタ処理および焦点決め処理については多くの方法がある。しかしながら、全ての反射性ドキュメント・スキャナに対しては、不透明のイメージからの反射光に対する経路が必要とされる。ある種のスキャナでは、別の角度からの光を抑制するフィールド・ストップを備えていないが、それでも最適な角度はある。この発明の目的のためには、重要性のある主要な内部的光路のパラメータは、ドキュメントに関する光源の角度、ドキュメントに関する反射光の角度、および、光源の経路と反射光の経路との間の任意のオフセットである。図３，図４，図５および図１０は、重要な種々の設計パラメータについて簡略に例示したものである。これらを概観すると、図３では、イメージ・エリアの外側の光が反射性ドキュメント・スキャナの幅を横切って反射されることが例示されている。図４では、光源と内部的な反射性ドキュメント・スキャナの光学的経路との間のオフセットが例示されている。図５では、透明プラテンに関して非垂直の角度にある光が例示されている。そして、図１０では、透明プラテンの幅、フォトセンサ・アレイの幅および焦点レンズの焦点距離によって規定される反射性ドキュメント・スキャナの光学的経路の角度が例示されている。
【００１２】
図４および図５に例示されているものは、図１に例示された反射生ドキュメント・スキャナについて、光路の代替的な実施例によるものの部分的な側面図である。図４において、ランプ１０６は光を実質的に垂直に指向しており、また、フィールド・ストップ１０８は実質的に垂直な光に対して戻る光を限定している。ランプ１０６とフィールド・ストップ１０８との間のオフセットは１ｃｍのオーダである。透明性のものは光を放散しないことから、この発明によれば、図４における点線４００で例示されているように、ランプ１０６とフィールド・ストップ１０８（または、フィールド・ストップがないときでも、レンズによって規定される光学的経路）との間のいかなるオフセットでも正確に適応するように設計される。図５において、ランプ１０６は非垂直の角度においてドキュメント、すなわち、透明性イメージ３００に光を向けており、また、フィールド・ストップ１０８は対称の非垂直な角度において戻る光を限定している。図５で例示されている角度は、典型的なスキャナ配列に比較して誇張されている。この発明によれば、図５における点線５００で例示されているように、非垂直な光路にも正確に適応するように設計される。
【００１３】
この発明の実施例の各々において、図３に例示されているようにイメージ・エリアの外側の光を捕獲するためにミラーの配列が用いられ、また、図４および図５に例示されているように、適切なオフセットおよび角度において透明性のものの背部を通るように光を指向する。この要求を満たすことができるミラーの構成としては、多くの代替的なものがある。図６および図７に示されているこの発明の実施例は、図５で例示されたようなオフセットを有する垂直光のためのものである。図８に示されている変形例は、オフセットを有する非垂直光のためのものである。
【００１４】
図６は、透明性の適合のためのミラーとともにされた反射性ドキュメント・スキャナ１００の部分的な平面図である。図７は、透明性の適合のためのミラーとともにされた反射性ドキュメント・スキャナ１００の部分的な側面図である。図６および図７に例示されているように、光路は透明性の適合のために４回反射される。ランプ１０６からの光はミラー６００上の点Ａにおいて１回目の反射がなされ、ミラー６０２上の点Ｂにおいて２回目の反射が、ミラー６０４上の点Ｃにおいて３回目の反射が、そして、ミラー６０６上の点D において最後の反射がなされ、フィールド・ストップ１０８を垂直に通して反射される。例示を簡略化するために、ミラー６００および６０６は図６においては明示されておらず、また、ミラー６０２および６０４は図６Ｂにおいては垂直ラインとして簡単に示されている。ミラー６０２および６０４はそれぞれにガラス・プラテンに対して垂直であり、また、互いに垂直であって、図６に例示されているような反射性スキャナの幅を横切って光を反射している。図６および図７に例示されている構成のために、ミラー６００および６０６はプラテン１０４に関して４５゜であり、ランプ１０６とフィールド・ストップ１０８との間のオフセットに等しい大きさのオフセットがある。
【００１５】
図６および図７のスキャナ用アダプタの変形例が図８に示されており、ここでのランプおよびフィールド・ストップは透明プラテンに対して垂直ではなく、ランプとフィールド・ストップとの間のオフセットに対する補償をすることも必要である。図８においては、フィールド・ストップ１０８およびランプ１０６は、プラテンに関して角度α1 （７００）にある。図７とは対照的に、ミラー６００および６０６は透明プラテンに関して４５°にあり、この図８において、ミラー６００はプラテンに関してα2 ＝α1 ／２（７０２）にあり、また、ミラー６０６は透明プラテンに関してα3 ＝９０°−α1 ／２（７０４）にある。これに加えて、光学的経路を正しく屈折させるためには、図８におけるミラー６００と６０６との間のスペースは、フィールド・ストップとランプとの間のスペースと同じではない。図９は、図６，図７および図８に例示された４個のミラー構成の透視図である。
【００１６】
図１０は、屈折しない光路を有する反射性ドキュメント・スキャナ１００を例示する平面図である。図１０に例示されているように、フォトセンサ・アレイ１２２の幅、ランプ１０６の幅および焦点レンズ１１６の焦点距離により、反射性ドキュメント・スキャナの中心軸９０２に関する効果的な角度β（９００）が規定される。この角度βは典型的には５°〜１２°のオーダのものである。光路（図４において垂直、または図５において非垂直）の平面において、図１０の矢印９０４によって例示されるように、ランプ１０６によりあらゆる方向に光が放射される。一般的に、上述されたミラー配列を用いる小さい透明性のイメージに対しては、このイメージの幅に沿う各方向に十分な光があり、角度βは重大な設計上のパラメータではない。
【００１７】
図１１には、小さい透明性のイメージに対する光線のトレースを例示するアダプタ・ミラーを備えた反射性ドキュメント・スキャナの頂面図が描かれている。点線１０００および１００２はランプ１０６で始まる光路を例示するものであり、ミラー６０２および６０４を反射し、そして、図１０で例示されているような収束角度βの要求を満たす適切な角度において、ミラー６０６を反射する（簡略化のために、ミラー６００は明示されていない）。透明性のイメージ３００がより広いものであるときには、外側のエッジでは、点線１００４で描かれているような光線が必要とされる。図１１で例示されているように、大きい透明性のイメージの外側エッジに対する要求について、ランプ１０６からの光線はそれを満たすことはできない。典型的な反射性ドキュメント・スキャナは、米国の法定サイズの用紙（８．５  インチ×１４インチ）またはメートル・サイズのＡ４用紙（２１０mm×２９７mm）に適応するように設計される。法定サイズのプラテンまたはＡ４サイズのプラテンを用いてフィルム・サイズの透明性のものをスキャン操作することには、光の収束および反射に対する付加的な要求が課される。
【００１８】
図１１における光線トレース１００４によって例示された問題を解決するために、図１２には、レンズ１１０４を備えた反射性ドキュメント・スキャナの平面図が描かれている（簡略化のために、全ての光線は水平面にあるものとして描かれている）。図１２において、点線１１００および１１０２はランプ１０６に垂直な光路として例示されており、ミラー６０２，６０４および６０６で再び反射される。図１２に例示されているように、光線１１００および１１０２が透明性のイメージに到達するのに先立ち、それらはレンズ１１０４により反射性ドキュメント・スキャナの中心ラインに向けて内側に偏向される。上記のミラー表面についての説明におけるように、レンズ１１０４は光学的に正確であることを要求されていない。図１２に例示されているように、レンズ１１０４は低コストの円柱レンズの断片でよい。図１３に例示されているものは、図１２で例示されたレンズを備えたスキュナ用アダプタの機械的な斜視図である。
【００１９】
要約すると、この発明で提供される完全に受動的なスキャナ用アダプタは、反射性ドキュメント・スキャナの内部にあるランプからの光を捕らえ、内部的なスキャナの光学手段によって要求された光路に沿い、光をして透明性のイメージを通過させるためのものである。ここで示された種々の実施例によれば、反射性ドキュメント・スキャナの内部的な光学手段の構成が有意な変化をするとしても、大方の反射性ドキュメント・スキャナの設計に適当する構成が提供される。
【００２０】
この発明の先行の説明は、例示およびその説明の目的でなされたものである。開示された正確な形式のものに発明を徹底したり限定したりすることは意図されておらず、上記の教示に照らして別の修正および変更をすることができる。実施例の選択および説明は、発明の原理およびその実際的な適用を最もよく説明するためのものであり、これにより、他の当業者にとっては、考えられる特定の使用に適当な種々の実施例および種々の修正において、発明を最もよく使用することが可能にされる。先行技術によって制限される限りのことを除き、特許請求の範囲の欄に記載されている事項には、発明の他の代替的な実施例を含むように解釈されるべきであると意図される。
【００２１】
以上本発明の各実施例について詳述したが、ここで、各実施例の理解を容易にするために、各実施例ごとに要約して、以下に列挙する。
【００２２】
（１）．内部光源を有する反射性のスキャナにおいて：
透明なイメージであって、このイメージはイメージ・エリアを有しており、内部光源からのある所定の光がこのイメージ・エリアの外側を通り、；および
イメージを通してイメージ・エリアの外側を通る光を反射してスキャナに至らしめるための手段；
を含んでなるスキャナ用アダプタである。
【００２３】
（２）．イメージは透明なプラテンの表面に隣接しており；
スキャナはこのプラテンに関して角度Ａの所要の内部的な光学的経路を有しており；そして
内部的なランプからの光は角度においてイメージを通して反射される；
前記１に記載のスキャナ用アダプタである。
【００２４】
（３）．第１，第２，第３および第４のミラーを含んでおり；
内部的なランプからの光は第１のミラーから第２のミラーに、第２のミラーから第３のミラーに、第３のミラーから第４のミラーに、そして角度Ａにおけるイメージを通して第４のミラーから反射される；
前記２に記載のスキャナ用アダプタである。
【００２５】
（４）．第１のミラーはプラテンに関して角度Ａ／２にあり、第２および第３のミラーは互いに垂直であり、そしてプラテンに垂直であり、そして、第４のミラーはプラテンに関して角度９０゜−Ａ／２にある；
前記３に記載のスキャナ用アダプタである。
【００２６】
（５）．内部光源および中心軸を有する反射性のスキャナにおいて：
透明なイメージであって、このイメージはイメージ・エリアを有しており、内部光源からのある所定の光がこのイメージ・エリアの外側を通るもの；
このスキャナは中心軸に関して角度Ｂにおいて所要の内部光学経路を有し；
イメージを通してイメージ・エリアの外側を通る光を反射して、中心軸に関して角度Ｂにおいてスキャナに至らしめるための手段；
を含んでなるスキャナ用アダプタである。
【００２７】
（６）．イメージは透明なプラテンの表面に隣接しており；
スキャナはこのプラテンに関して角度Ａの所要の内部的な光学的経路を有しており；そして
内部的なランプからの光は角度Ａにおいてイメージを通して反射され、スキャナに至る；
前記５に記載のスキャナ用アダプタである。
【００２８】
（７）．第１，第２，第３および第４のミラー；および
レンズを含んでおり；
内部的なランプからの光は第１のミラーから第２のミラーに、第２のミラーから第３のミラーに、第３のミラーから第４のミラーに、そして第４のミラーからレンズに通され、中心軸に関して角度Ｂにおいて、プラテンに関して角度Ａにおけるイメージに通される；
前記６に記載のスキャナ用アダプタである。
【００２９】
（８）．第１のミラーはプラテンに関して角度Ａ／２にあり、第２および第３のミラーは互いに垂直であり、そしてプラテンに垂直であり、そして、第４のミラーはプラテンに関して角度９０゜−Ａ／２にある；
前記７に記載のスキャナ用アダプタである。
【００３０】
【発明の効果】
以上のように、この発明によれば、スキャナの内部光源からの所定の光を透明なイメージのイメージ・エリアの外側を通る点で反射してスキャナに再入射するように構成したので、従来のように、透明性イメージの背部に白色の背景を配置して、そこで反射させた光を透明性イメージに再度透過させる必要がなく、したがって、イメージの特性に歪みを生じることがなくなる。
また、イメージに最適に光を投射するために分離した光学手段を別個に設ける必要もなくなり、構成も簡単にできる。
【図面の簡単な説明】
【図１】反射性ドキュメント・スキャナの機械的な側面図である。
【図２】図１の反射性ドキュメント・スキャナの機械的な端面図である。
【図３】透明性のイメージに対する反射ミラーを備えた反射性ドキュメント・スキャナの機械的な端面図である。
【図４】オフセットおよび垂直の光学的経路を備えた反射性ドキュメント・スキャナの機械的な部分側面図である。
【図５】オフセットおよび非垂直の光学的経路を備えた反射性ドキュメント・スキャナの機械的な部分側面図である。
【図６】この発明の一実施例による透明性イメージのためのスキャナ用アダプタを備えた反射性ドキュメント・スキャナの機械的な部分平面図である。
【図７】図６の反射性ドキュメント・スキャナおよびスキャナ用アダプタの機械的な部分側面図である。
【図８】非垂直の光路を有する反射性ドキュメント・スキャナおよびスキャナ用アダプタの機械的な部分側面図である。
【図９】図６，図７および図８の反射性ドキュメント・スキャナおよびスキャナアダプタの機械的な透視図である。
【図１０】屈折しない光路を例示する反射性ドキュメント・スキャナの機械的な部分平面図である。
【図１１】全ての光線が水平面にあるものとして描かれた透明性のイメージに対する光線路を例示する、スキャナ用アダプタを備えた反射性ドキュメント・スキャナの機械的な部分平面図である。
【図１２】全ての光線が水平面にあるものとして描かれた透明性のイメージに対して適正な角度で照射を付与するためのレンズの追加を備えた、図１１の反射性ドキュメント・スキャナおよびスキャナ用アダプタの機械的な部分平面図である。
【図１３】図１２のスキャナ用アダプタおよびレンズの構成の機械的な斜視図である。
【符号の説明】
１００  反射性ドキュメント・スキャナ
１０２  不透明ドキュメント
１０４  透明プラテン
１０６  ランプ
１０８  フィールド・ストップ
１１０，１１２，１１４，１１８，１２０、６００、６０２、６０４、６０６ミラー
１１６  焦点レンズ
１２２  フォトセンサ・アレイ
１２４  コンピュータ
３００  透明性イメージ
【図１】
0003707810.tif 000002
【図２】
0003707810.tif 000003
【図３】
0003707810.tif 000004
【図４】
0003707810.tif 000005
【図５】
0003707810.tif 000006
【図６】
0003707810.tif 000007
【図７】
0003707810.tif 000008
【図８】
0003707810.tif 000009
【図９】
0003707810.tif 000010
【図１０】
0003707810.tif 000011
【図１１】
0003707810.tif 000012
【図１２】
0003707810.tif 000013
【図１３】
0003707810.tif 000014